【手続補正書】
【提出日】平成27年12月18日(2015.12.18)
【手続補正１】
【補正対象書類名】特許請求の範囲
【補正対象項目名】全文
【補正方法】変更
【補正の内容】
【特許請求の範囲】
【請求項１】
ユーザの情報を取得する取得部と、
前記取得部により取得された前記ユーザの情報に基づいて判断されたユーザの好みを支援するための支援内容を決定する支援内容決定部と、
前記好みのレベルに応じた方法で前記支援内容を実行する実行部と、
を備える、行動支援装置。
【請求項２】
前記好みのレベルは、ユーザ自身が自覚している好みであるか否か、および他者に公開可能な好みであるか否かに応じたレベルである、請求項１に記載の行動支援装置。
【請求項３】
前記実行部は、表示部または音声出力部により前記支援内容を実行する、請求項１または２に記載の行動支援装置。
【請求項４】
前記実行部は、前記好みのレベルが、ユーザ自身が自覚していない好みであることを示す潜在レベルの場合、前記ユーザの潜在意識に働きかけるよう間接的に前記支援内容を実行する、請求項１〜３のいずれか１項に記載の行動支援装置。
【請求項５】
前記実行部は、アフォーダンス、錯覚、または心理誘導を用いて、間接的に前記支援内容を実行する、請求項４に記載の行動支援装置。
【請求項６】
前記実行部は、画像信号の明度変更、彩度変更、アスペクト比変更、回転処理、拡大／縮小処理、形状変形、合成、モザイク／ぼかし、または色変換といった画像処理、若しくは、音声信号のエコー／ディレイ加工、ディストレーション／フランジャー加工、サラウンド化／チャンネル交換といった音声処理の少なくともいずれかにより、間接的に前記支援内容を実行する、請求項４に記載の行動支援装置。
【請求項７】
前記支援内容決定部は、前記ユーザの好みに対応する商品またはサービスに関する情報を表示する支援内容に決定し、
前記実行部は、前記商品またはサービスに関する情報を、表示画面中の広告欄に表示することで、間接的に前記支援内容を実行する、請求項４に記載の行動支援装置。
【請求項８】
前記支援内容決定部は、前記ユーザの好みに対応する商品またはサービスの提供場所に前記ユーザを誘導する支援内容に決定し、
前記実行部は、誘導ルートが最適なルートに認識されるよう、地図画像またはユーザの視界方向を撮像した撮像画像の一部を変更して表示することで、間接的に前記支援内容を実行する、請求項４に記載の行動支援装置。
【請求項９】
前記実行部は、前記撮像画像において、誘導ルート以外の道を暗く、または上り坂に加工して、前記ユーザが装着しているＨＭＤの表示部に表示することで、間接的に前記支援内容を実行する、請求項８に記載の行動支援装置。
【請求項１０】
前記実行部は、前記地図画像において、誘導ルートが他のルートより短くなるよう加工することで、間接的に前記支援内容を実行する、請求項８に記載の行動支援装置。
【請求項１１】
前記実行部は、前記好みのレベルが、ユーザ自身が自覚している好みであって不特定多数に非公開であることを示すプライベートレベルの場合、前記ユーザの周囲に人がいない時に直接的に前記支援内容を実行する、請求項１〜１０のいずれか１項に記載の行動支援装置。
【請求項１２】
前記実行部は、前記好みのレベルが、ユーザ自身が自覚している好みであって特定範囲に公開可能であるリミテッドパブリックレベルの場合、前記ユーザの周囲に居る人が、前記特定範囲に含まれる人である時に直接的に前記支援内容を実行する、請求項１〜１１のいずれか１項に記載の行動支援装置。
【請求項１３】
前記実行部は、前記好みのレベルが、ユーザ自身が自覚している好みであって不特定多数に公開可能であるパブリックレベルの場合、前記ユーザの周囲に人が居るか否かに関わらず、直接的に前記支援内容を実行する、請求項１〜１２のいずれか１項に記載の行動支援装置。
【請求項１４】
前記取得部が取得する前記ユーザの情報は、前記ユーザの生体情報、スケジュール情報、属性情報、および前記ユーザにより入力された電子メール、電子掲示板、ブログ、ＳＮＳ等の内容の少なくともいずれかである、請求項１〜１３のいずれか１項に記載の行動支援装置。
【請求項１５】
前記取得部は、複数のユーザの情報を取得し、
前記支援内容決定部は、前記複数のユーザのうち好みが一致する特定の複数ユーザを同じ場所に誘導する支援内容に決定し、
前記実行部は、前記特定の複数ユーザに対して、潜在意識に働きかけるよう間接的に前記支援内容を実行する、請求項１〜１４のいずれか１項に記載の行動支援装置。
【請求項１６】
前記取得部は、複数のユーザの情報を取得し、
前記支援内容決定部は、複数のユーザの関係性の良し悪しに応じた支援内容に決定し、
前記実行部は、複数のユーザに対して、潜在意識に働きかけるよう間接的に前記支援内容を実行する、請求項１〜１５のいずれか１項に記載の行動支援装置。
【請求項１７】
前記支援内容決定部は、推定された前記ユーザの未来の行動に伴う不利益を回避するよう支援する内容に決定する、請求項１〜１６のいずれか１項に記載の行動支援装置。
【請求項１８】
ユーザの情報を取得するステップと、
取得された前記ユーザの情報に基づいて前記ユーザの好みを判断するステップと、
当該ユーザの好みを支援するための支援内容を決定するステップと、
前記好みの種類に応じた方法で、プロセッサにより前記支援内容を実行するステップと、
を含む、行動支援方法。
【請求項１９】
コンピュータを、
ユーザの情報を取得する取得部と、
前記取得部により取得された前記ユーザの情報に基づいて前記ユーザの好みを判断し、当該ユーザの好みを支援するための支援内容を決定する支援内容決定部と、
前記好みの種類に応じた方法で前記支援内容を実行する実行部と、
として機能させるためのプログラム。
【請求項２０】
コンピュータを、
ユーザの情報を取得する取得部と、
前記取得部により取得された前記ユーザの情報に基づいて前記ユーザの好みを判断し、当該ユーザの好みを支援するための支援内容を決定する支援内容決定部と、
前記好みの種類に応じた方法で前記支援内容を実行する実行部と、
として機能させるためのプログラムが記憶された、記憶媒体。
【手続補正２】
【補正対象書類名】明細書
【補正対象項目名】０００３
【補正方法】変更
【補正の内容】
【０００３】
また、下記特許文献１では、指定された場所の飲食店や映画などのガイド情報を提示するシステムにおいて、不要なガイド情報が選択・表示されてしまうことを防止できるガイド情報提示システムが提案されている。ガイド情報表示後、「ここへ行く」の項目が選択されると、ガイド情報提示システムは、現在地から店舗までのルートを探索し、目的地までのルート案内を開始する。
【手続補正３】
【補正対象書類名】明細書
【補正対象項目名】０１１４
【補正方法】変更
【補正の内容】
【０１１４】
（２−２−２．行動支援処理）
本実施形態による行動支援処理では、一例として、好みレベルとユーザの周囲に人がいるか否かといった環境をスコア化する。図８は、好みレベルとユーザの周囲に人がいるか否かといった環境をスコア化した表の一例を示す図である。図８上段に示すスコア表は、好みレベルをスコア化したＬＳ（Ｌｅｖｅｌ  Ｓｃｏｒｅ）表３１である。ＬＳ表３１に示すように、例えばパブリックレベルＬ１のスコアを２、リミテッドパブリックレベルＬ１’のスコアを１、プライベートレベルＬ２および潜在レベルＬ３のスコアを０とする。
【手続補正４】
【補正対象書類名】明細書
【補正対象項目名】０１１５
【補正方法】変更
【補正の内容】
【０１１５】
図８下段に示すスコア表は、ユーザの周囲の人の状況をスコア化したＡＯＳ（Ａｒｏｕｎｄ  Ｏｎｅ  Ｓｃｏｒｅ）表３２である。ＡＯＳ表３２に示すように、例えばユーザの周囲に不特定多数の人がいる場合のスコアを２、特定範囲の人がいる場合のスコアを１、人がいない、すなわちユーザが独りでいる場合のスコアを０とする。
【手続補正５】
【補正対象書類名】明細書
【補正対象項目名】０１３１
【補正方法】変更
【補正の内容】
【０１３１】
続いて、上記ステップＳ３４２でリミテッドパブリックレベルＬ１’ではないと判断された場合（Ｓ３４２／Ｎｏ）、ステップＳ３６３において、実行部１０５は、（促進方向の）支援内容を直接的に実行する。なお好みレベルがリミテッドパブリックレベルＬ１’ではない場合とは、ここでは、好みレベルがパブリックレベルＬ１であることが想定される。
【手続補正６】
【補正対象書類名】明細書
【補正対象項目名】０１６６
【補正方法】変更
【補正の内容】
【０１６６】
続いて、ステップＳ４１５において、行動支援サーバ５０の実行部５１５は、支援内容決定部５１４により決定された行動支援内容を、各ＨＭＤ１Ａ、１Ｂの提示デバイス１６で間接的に実行するための制御信号を生成する。
【手続補正７】
【補正対象書類名】明細書
【補正対象項目名】０１７０
【補正方法】変更
【補正の内容】
【０１７０】
＜＜４．第３の実施形態＞＞
以上説明した第２の実施形態では、ユーザの好みを判断し、ユーザの好みに応じた行動支援内容に決定し、また、ユーザの好みレベルに応じた方法で行動支援内容を実行している。特に、ユーザの潜在意識に働きかけるよう間接的に行動支援を行うことで、ユーザにストレスを与えずに自然に行動支援を行うことができる。ここで、本開示による行動支援装置は、上述した各実施形態に限定されず、例えばユーザがこれから行う行動を推定した上で、その行動に伴う不利益を避けるよう間接的に支援する行動支援装置も実施可能である。これにより、ユーザは、明確な目的を入力する手間をかけずに、また、煩わしいアドバイス等を受けることなく、より安全で快適な生活を送ることができる。
【手続補正８】
【補正対象書類名】明細書
【補正対象項目名】０２０６
【補正方法】変更
【補正の内容】
【０２０６】
なお、上述した第１の実施形態では、実行部１０５は、ユーザの好みレベルがパブリックレベルＬ１、リミテッドパブリックレベルＬ１’、またはプライベートレベルＬ２の場合、直接的に支援内容を実行する旨を説明したが、本実施形態はこれに限定されない。例えば実行部１０５は、特定の場合は例外的に間接的に支援内容を実行してもよい。具体的には、例えばダイエットのように自分の欲求を抑制しなくてはならない等、支援内容がユーザにとってストレスになることが想定される場合、実行部１０５は、間接的に支援内容を実行する。